(57)【特許請求の範囲】
【請求項１】
車両に搭載された移動可能で書き込み可能な記憶媒体に対して、車両の外部の地図情報提供源から転送される要求地図情報をロードしてオリジナル地図を作成するナビゲーション装置であって、
上記記憶媒体には、複数の地図パーツのイメージ情報及びこれらの地図パーツのイメージ情報にそれぞれ対応する複数の通信コードと、複数のランドマークの表示用イメージ情報及びこれらの表示用イメージ情報にそれぞれ対応する複数の通信コードとが予め記憶され、
ユーザーの要求により上記地図情報提供源から転送される要求地図情報は、オリジナル地図を構成する簡易地図を表示するための地図パーツイメージ情報をコード化した通信コードと、地図パーツイメージ情報を表示する位置を示す座標データと、簡易地図に重ねて表示するランドマークの表示用イメージ情報をコード化した通信コードと、ランドマークを表示する位置を示す座標データとを含み、
要求地図情報の通信コードに対応した上記地図パーツイメージ情報及びランドマークの表示用イメージ情報を検索することにより、この地図パーツイメージ情報及びランドマークの表示用イメージ情報をそれぞれの座標データの示す位置に表示して、オリジナル地図を作成する
ことを特徴とするナビゲーション装置。
【請求項２】
上記地図パーツイメージ情報、上記ランドマークの表示用イメージ情報及びそれらの通信コードを記憶している上記記憶媒体の領域が、書込不可とされている請求項１記載のナビゲーション装置。
【請求項３】
移動可能で書き込み可能な記憶媒体に対して、外部の地図情報提供源から転送される要求地図情報をロードしてオリジナル地図を作成するオリジナル地図作成装置であって、
上記記憶媒体には、複数の地図パーツのイメージ情報及びこれらの地図パーツのイメージ情報にそれぞれ対応する複数の通信コードと、複数のランドマークの表示用イメージ情報及びこれらの表示用イメージ情報にそれぞれ対応する複数の通信コードとが予め記憶され、
ユーザーの要求により上記地図情報提供源から転送される要求地図情報は、オリジナル地図を構成する簡易地図を表示するための地図パーツイメージ情報をコード化した通信コードと、地図パーツイメージ情報を表示する位置を示す座標データと、簡易地図に重ねて表示するランドマークの表示用イメージ情報をコード化した通信コードと、ランドマークを表示する位置を示す座標データとを含み、
要求地図情報の通信コードに対応した上記地図パーツイメージ情報及びランドマークの表示用イメージ情報を検索することにより、この地図パーツイメージ情報及びランドマークの表示用イメージ情報をそれぞれの座標データの示す位置に表示して、オリジナル地図を作成する
ことを特徴とするオリジナル地図作成装置。
【請求項４】
車両の外部の地図情報提供源から転送される要求地図情報をロードして車載のナビゲーション装置によりオリジナル地図を作成するためのプログラムを記憶した移動可能で書き込み可能な記憶媒体であって、
上記記憶媒体には、複数の地図パーツのイメージ情報及びこれらの地図パーツのイメージ情報にそれぞれ対応する複数の通信コードと、複数のランドマークの表示用イメージ情報及びこれらの表示用イメージ情報にそれぞれ対応する複数の通信コードとが予め記憶されるマーク＆コード領域を有し、
上記プログラムが、要求により上記地図情報提供源から転送された、オリジナル地図を構成する簡易地図を表示するための地図パーツイメージ情報をコード化した通信コードと、地図パーツイメージ情報を表示する位置を示す座標データと、簡易地図に重ねて表示するランドマークの表示用イメージ情報をコード化した通信コードと、ランドマークを表示する位置を示す座標データとを含む要求地図情報のうち、コード化されて転送された情報を、上記通信コードに対応した上記地図パーツイメージ情報及びランドマークの表示用イメージ情報を検索することにより、この地図パーツイメージ情報及びランドマークの表示用イメージ情報としてそれぞれの座標データの示す位置に表示させて、オリジナル地図を作成する
ことを特徴とする記憶媒体。
【請求項５】
外部の地図情報提供源から転送される要求地図情報をロードしてオリジナル地図をコンピュータにより作成するためのプログラムを記憶した移動可能で書き込み可能な記憶媒体であって、
複数の地図パーツのイメージ情報及びこれらの地図パーツのイメージ情報にそれぞれ対応する複数の通信コードと、複数のランドマークの表示用イメージ情報及びこれらの表示用イメージ情報にそれぞれ対応する複数の通信コードとが予め記憶されるマーク＆コード領域を有し、
上記プログラムが、要求により上記地図情報提供源から転送された、オリジナル地図を構成する簡易地図を表示するための地図パーツイメージ情報をコード化した通信コードと、地図パーツイメージ情報を表示する位置を示す座標データと、簡易地図に重ねて表示するランドマークの表示用イメージ情報をコード化した通信コードと、ランドマークを表示する位置を示す座標データとを含む要求地図情報のうち、コード化されて転送された情報を、上記通信コードに対応した上記地図パーツイメージ情報及びランドマークの表示用イメージ情報を検索することにより、この地図パーツイメージ情報及びランドマークの表示用イメージ情報としてそれぞれの座標データの示す位置に表示させて、オリジナル地図を作成する
ことを特徴とする記憶媒体。
【請求項６】
移動可能で書き込み可能な記憶媒体を使用する車載のナビゲーション装置に要求地図情報を転送する地図情報提供装置であって、
ユーザーにより要求された、オリジナル地図を構成する簡易地図を表示するための地図パーツのイメージ情報と、地図パーツイメージ情報を表示する位置を示す座標データと、簡易地図に重ねて表示するランドマークの表示用イメージ情報と、ランドマークを表示する位置を示す座標データ及びランドマークの表示用イメージ情報を要求地図情報のうち、地図パーツのイメージ情報と、ランドマークの表示用イメージ情報とをコード化して、通信コード及び座標データを上記ナビゲーション装置に転送し、
このコード化された情報が、上記ナビゲーション装置において、上記記憶媒体に予め記憶された複数の地図パーツのイメージ情報及びこれらの地図パーツのイメージ情報にそれぞれ対応する複数の通信コードと、複数のランドマークの表示用イメージ情報及びこれらの表示用イメージ情報にそれぞれ対応する複数の通信コードとに基づいて、上記通信コードに対応した上記地図パーツイメージ情報及びランドマークの表示用イメージ情報を検索することにより、この地図パーツイメージ情報及びランドマークの表示用イメージ情報としてそれぞれの座標データの示す位置に表示して、オリジナル地図を作成する
ことを特徴とする地図情報提供装置。
【請求項７】
移動可能で書き込み可能な記憶媒体に対して、外部の地図情報提供源から転送される要求地図情報をロードしてオリジナル地図を作成するオリジナル地図作成方法であって、
上記記憶媒体には、複数の地図パーツのイメージ情報及びこれらの地図パーツのイメージ情報にそれぞれ対応する複数の通信コードと、複数のランドマークの表示用イメージ情報及びこれらの表示用イメージ情報にそれぞれ対応する複数の通信コードとを予め記憶し、
上記地図情報提供源にオリジナル地図を構成する簡易地図を表示するための地図パーツのイメージ情報と、地図パーツイメージ情報を表示する位置を示す座標データと、簡易地図に重ねて表示するランドマークの表示用イメージ情報と、ランドマークを表示する位置を示す座標データ及びランドマークの表示用イメージ情報を要求して、地図パーツのイメージ情報と、ランドマークの表示用イメージ情報とを上記通信コードによりコード化して、通信コード及び座標データを転送させ、
このコード化されて転送された情報を、上記通信コードに対応した上記地図パーツのイメージ情報及び複数のランドマークの表示用イメージ情報を検索することにより、この地図パーツのイメージ情報及び複数のランドマークの表示用イメージ情報としてそれぞれの座標データの示す位置に表示して、オリジナル地図を作成することを特徴とするオリジナル地図作成方法。
【発明の詳細な説明】
【０００１】
【発明の属する技術分野】
本発明は、ナビゲーショ装置及びこれに関連するオリジナル地図作成装置、記憶媒体、地図情報転送装置並びにオリジナル地図作成方法に関する。
【０００２】
【従来の技術】
現在、車両に搭載されているナビゲーション装置は、地図上に自車位置を示すと共に目的地までの最適経路を設定するようにしたものが主流であり、広く使用されるようになってきた。
また、最近では、ＶＩＣＳセンターから、光ビーコン、電波ビーコン及びＦＭ多重放送を介して、交通情報を受信し渋滞路を迂回して走行できるようにしたものも普及し始めている。
また、ＡＴＩＳセンター等から、車載電話を利用して、各種の交通情報をリアルタイムで入手できるようにしたものも使用されている。
さらに、特開平８−８７２３４号公報には、車載のナビゲーション装置が地図データベースを保有していない場合でも、情報センターから道路インフラ側を介して詳細な地図情報を入手することができ、さらに、古い地図データベースを保有している場合でも、情報センターから最新の情報を入手することにより正確な複合地図情報を表示できるようにしたものが開示されている。
【０００３】
【発明が解決しようとする課題】
しかしながら、従来のナビゲーション装置のうち、外部の情報センター等から特定の情報（交通情報、駐車場情報、地図情報等）を入手するタイプのものは、全てこれらの情報を一律に入手するものであったため、ユーザーが必要な情報のみを選択して入手することは、困難であった。また、地図情報は、イメージ情報であり、大量の地図情報を一律にＣＤ−ＲＯＭ等の記憶媒体に記憶させることは、記憶容量上制限があり、実用的ではなかった。
また、車載の携帯電話等の無線通信手段を使用しているため、情報転送に伴う電話料や情報センターの情報使用料であるデータ使用料が、コスト的に増大するという問題もあった。また、無線通信手段を使用する場合、電波障害等により、転送の途中で通信が中断し、この場合には、情報転送を最初からやり直さなければならず、操作上も面倒であり、通信コストの増大にもつながっていた。
【０００４】
そこで、本発明は、上記の従来技術の問題点を解決するためになされたものであり、外部の情報センターからユーザーが必要な情報のみを選択して入手でき、通信コストを低減させると共に通信の中断を防止できるナビゲーション装置、記憶媒体、オリジナル地図作成装置、地図情報提供装置及びオリジナル地図作成方法を提供することを目的としている。
【０００５】
【課題を解決するための手段】
上記の目的を達成するため、請求項１に記載された本発明は、車両に搭載された移動可能で書き込み可能な記憶媒体に対して、車両の外部の地図情報提供源から転送される要求地図情報をロードしてオリジナル地図を作成するナビゲーション装置であって、上記記憶媒体には、複数の表示用イメージ情報及びこれらのイメージ情報にそれぞれ対応する複数の通信コードが予め記憶され、ユーザーの要求により上記地図情報提供源から上記通信コードによりコード化されて転送された情報を、上記通信コードに対応した上記表示用イメージ情報を検索することにより、この表示用イメージ情報として表示するとすることを特徴としている。
請求項２に記載された本発明は、請求項１記載のナビゲーション装置であって、上記地図情報提供源からコード化されて転送される情報が、座標値及び上記通信コードを含むようにデータフォーマットされている。
【０００６】
請求項３に記載された本発明は、上記表示用イメージ情報が、ランドマークを含む。
請求項４に記載された本発明は、請求項１記載のナビゲーション装置であって、上記表示用イメージ情報及び通信コードを記憶している上記記憶媒体の領域が、書込不可とされている。
請求項５に記載された本発明は、車両に搭載された移動可能で書き込み可能な記憶媒体に対して、車両の外部の地図情報提供源から転送される要求地図情報をロードしてオリジナル地図を作成するナビゲーション装置であって、上記記憶媒体には、複数のサービス情報及びこれらのサービス情報にそれぞれ対応する複数の通信コードが予め記憶され、ユーザーの要求により上記地図情報提供源から上記通信コードによりコード化されて転送された情報を、上記通信コードに対応した上記サービス情報を検索することにより、このサービス情報として表示することを特徴としている。
【０００７】
請求項６に記載された本発明は、請求項５記載のナビゲーション装置であって、上記地図情報提供源からコード化されて転送される情報が、複数のサービス施設の情報を含み、これらのサービス施設の情報が、上記通信コードにより階層的にコード化されてデータフォーマットされている。
請求項７に記載された本発明は、請求項５記載のナビゲーション装置であって、上記地図情報提供源からコード化されて転送される情報が、座標値及び上記通信コードを含むようにデータフォーマットされている。
請求項８に記載された本発明は、請求項５記載のナビゲーション装置であって、上記サービス情報及び通信コードを記憶している上記記憶媒体の領域が、書込不可とされている。
【０００８】
請求項９に記載された本発明は、車両に搭載された移動可能で書き込み可能な記憶媒体に対して、車両の外部の地図情報提供源から転送される要求地図情報をロードしてオリジナル地図を作成するナビゲーション装置であって、上記記憶媒体には、複数の地図パーツイメージ情報及びこれらの地図パーツイメージ情報にそれぞれ対応する複数の通信コードが予め記憶され、ユーザーの要求により上記地図情報提供源から上記通信コードによりコード化されて転送された情報を、上記通信コードに対応した上記地図パーツイメージ情報を検索することにより、この地図パーツイメージ情報として表示することを特徴としている。
請求項１０に記載された本発明は、請求項９記載のナビゲーション装置であって、上記地図情報提供源からコード化されて転送される情報が、座標値及び上記通信コードを含むようにデータフォーマットされている。
【０００９】
請求項１１に記載された本発明は、請求項９記載のナビゲーション装置であって、上記地図パーツイメージ情報及び通信コードを記憶している上記記憶媒体の領域が、書込不可とされている。
請求項１２に記載された本発明は、移動可能で書き込み可能な記憶媒体に対して、外部の地図情報提供源から転送される要求地図情報をロードしてオリジナル地図を作成するオリジナル地図作成装置であって、上記記憶媒体には、複数の地図情報及びこれらの地図情報にそれぞれ対応する複数の通信コードが予め記憶され、ユーザーの要求により上記地図情報提供源から上記通信コードによりコード化されて転送された情報を、上記通信コードに対応した上記地図情報を検索することにおり、この地図情報を表示することを特徴としている。
【００１０】
請求項１３に記載された本発明は、車両の外部の地図情報提供源から転送される要求地図情報をロードして車載のナビゲーション装置によりオリジナル地図を作成するためのプログラムを記憶した移動可能で書き込み可能な記憶媒体であって、複数の地図情報及びこれらの地図情報にそれぞれ対応する複数の通信コードが予め記憶されるマーク＆コード領域を有し、上記プログラムが、要求により上記地図情報提供源から上記通信コードによりコード化されて転送された情報を、上記通信コードに対応した上記地図情報を検索することにより、上記地図情報として表示させることを特徴としている。
請求項１４に記載された本発明は、外部の地図情報提供源から転送される要求地図情報をロードしてオリジナル地図をコンピュータにより作成するためのプログラムを記憶した移動可能で書き込み可能な記憶媒体であって、複数の地図情報及びこれらの地図情報にそれぞれ対応する複数の通信コードが予め記憶されるマーク＆コード領域を有し、上記プログラムが、要求により上記地図情報提供源から上記通信コードによりコード化されて転送された情報を、上記通信コードに対応した上記地図情報を検索することにより、この地図情報として表示させることを特徴としている。
【００１１】
請求項１５に記載された本発明は、移動可能で書き込み可能な記憶媒体を使用する車載のナビゲーション装置に要求地図情報を転送する地図情報提供装置であって、ユーザーにより要求された要求地図情報をコード化して、上記ナビゲーション装置に転送し、このコード化された情報が、上記ナビゲーション装置において、上記記憶媒体に予め記憶された複数の表示用イメージ情報及びこれらのイメージ情報にそれぞれ対応する複数の通信コードとに基づいて、上記通信コードに対応した上記表示用イメージ情報を検索することにより、この表示用イメージ情報として表示されることを特徴としている。
請求項１６に記載された本発明は、移動可能で書き込み可能な記憶媒体に対して、外部の地図情報提供源から転送される要求地図情報をロードしてオリジナル地図を作成するオリジナル地図作成方法であって、上記記憶媒体に、複数の地図情報及びこれらの地図情報にそれぞれ対応する複数の通信コードを予め記憶し、上記地図情報提供源に上記複数の地図情報を要求して上記通信コードによりコード化されて転送させ、このコード化されて転送された情報を、上記通信コードに対応した上記地図情報を検索することにより、この地図情報として表示することを特徴としている。
【００１２】
【発明の実施の形態】
本発明は、上述したように、車載のナビゲーション装置又は自宅等のパソコンにおいて、ユーザーが必要と考える地図情報（表示用イメージ情報、サービス情報、地図パーツイメージ情報等）のみを選択して外部の情報センター等から通信手段を介して入手し、この入手した必要地図情報を、リムーバブルディスクと呼ばれている持ち運び可能で書込可能な大容量記憶媒体（ＩＣカード，ＣＤ−ＲＯＭ，ＭＯ，ＰＤ，ＤＶＤ等）に記憶させ、この記憶媒体を、車載のナビゲーション装置で使用することにより、快適なカーライフを実現したものである。
このような本発明の実施形態を以下に添付図面を参照して説明する。
図１は、本発明によりオリジナル地図を作成する際に関係する全体システムを示す全体構成図である。この図１に示すように、全体システムは、家庭（自宅）や事務所等に置かれたパソコン１、車両を運転する際に必要となる種々の地図情報を提供する情報センター２、ＶＩＣＳ用のＦＭ多重放送設備４（光ビーコンや電波ビーコン又は車載携帯電話等でもよい）、ナビゲーション装置を搭載した車両６、車両の現在位置を検出するための位置情報を提供するＧＰＳ衛星８、種々の地図を記憶する持ち運び可能な書込可能大容量記憶媒体１０等から構成されている。
【００１３】
ここで、書込可能大容量記憶媒体１０は、ＩＣカード，ＣＤ−ＲＯＭ，ＭＯ，ＰＤ，ＤＶＤ等のリムーバブルディスクであり、これ以降、便宜的に、ＤＶＤ(Digital Versatile Disc)１０を書込可能大容量記憶媒体の代表例として説明する。
この図１より、本発明の前提となる基本概念を説明する。この図１に示すように、先ず、自宅等のパソコン１を使用して、必要と考える地図情報のみを選択して外部から入手し、この地図情報を編集及び加工を行うことにより、オリジナル地図情報を記憶したＤＶＤ１０作成する。このとき、ベース地図情報は、市販されている地図情報を用い、他の必要な情報は、上述した情報センター２から通信手段を介して入手する。なお、ベース地図情報は、情報センター２から入手するようにしてもよい。さらに、このＤＶＤ１０には、地図情報以外にユーザーの個人情報も含ませるようにしてもよい。この後、実際に必要なとき、ユーザーは、このＤＶＤ１０を車両６に搭載されたナビゲーション装置に挿入して、記憶された情報を必要に応じて使用する。
【００１４】
また、オリジナル地図情報を記憶したＤＶＤ１０は、自宅等のパソコン１を使用する以外に、車両６に搭載されたナビゲーション装置により、携帯電話等を介して作成することも可能である。
交通情報（渋滞情報や駐車場情報）や各種のサービス情報（飲食店情報等）には、リアルタイム情報が含まれているので、このような情報を入手する必要がある場合には、外出先で、車載のナビゲーション装置により入手することになる。図２は、車載のナビゲーション装置の全体システムを示すブロック図である。この図２において、車両６に搭載されたナビゲーション装置１２は、ナビゲーション装置本体１４、光ビーコンと双方向通信可能な光ビーコン用通信器１５、集中コントロールユニット（ＴＤＭ）１６、マルチディスプレイ１８、ヘッドアップディスプレイ２０、ドライバーの音声入力及び出力のための音声対話スイッチ２２（スピーカー２２ａ，マイク２２ｂ）、操作スイッチ２４、外部の情報センター２に必要な地図情報を要求し情報センター２からこの要求地図情報を受信するための携帯電話２６、及び、地図情報等を記憶するＤＶＤ１０等から構成されている。
【００１５】
ここで、マルチディスプレ１８には、ナビゲーション表示以外に、メータ表示、外部モニター表示、ワーニング表示、オーディオ表示等がなされる。また、ヘッドアップディスプレイ２０により、ナビゲーション表示以外に、車速、ワーニング表示、車間距離等の表示がなされる。操作スイッチ２４は、このような種々の種類の表示内容をドライバーが操作して変更するためのものである。さらに、音声対話スイッチ２２により、このような操作も可能である。また、外部から情報を入手する携帯電話２６は、これに限られず、車載の自動車電話又は他の無線通信手段でも良い。
このようなナビゲーション装置１２において、ナビゲーション装置本体１４は、携帯電話２６により情報センター２に必要な地図情報を要求し、この要求に応じて情報センター２から転送される必要地図情報を携帯電話２６により受信し、ＤＶＤ１０に記憶する。また、これに限らず、ＦＭ多重放送設備４（又は光ビーコンや電波ビーコン）からＶＩＣＳ情報である交通情報（渋滞、工事、事故、駐車場情報等）を入手して記憶したり、さらに、予めＤＶＤ１０に記憶されている情報の中から必要な情報を得る。これらの入手された情報は、集中コントロールユニット１６に出力され、マルチディスプレ１８及びヘッドアップディスプレイ２０により表示される。このとき、音声対話スイッチ２２により音声による説明がなされることもある。
【００１６】
ここで、ヘッドアップディスプレイ２０は、フロントガラス上に映像を写すものであり、ドライバーが視線をそらすことなく必要な情報を見ることができるので、安全上非常に有効である。
図３は、車両に搭載されたナビゲーション装置を具体的に示す車両の平面図である。この図３には、図２により説明したナビゲーション装置本体１４、集中コントロールユニット（ＴＤＭ）１６、マルチディスプレイ装置１８、ヘッドアップディスプレイ２０、ドライバーの音声入力及び出力のための音声対話スイッチ２２を構成するボイスガイド用スピーカー２２ａ及びマイク２２ｂ並びに操作スイッチ２４、携帯電話２６、及びＤＶＤ１０が示されている。車両６には、これら以外に、車室前方のダッシュパネル側には、ＤＶＤ１０を挿入するデータドライブ装置２８及びシートポジション等の個人情報を記憶しているＲＡＭカードを挿入するＲＡＭカード装置３０が設けられている。
【００１７】
一方、車両６の後方側には、携帯電話用アンテナ３２、ＶＩＣＳ対応ＦＭ多重放送用チューナー３４、ＦＭアンテナ３６、ＧＰＳ衛星８から位置情報を得るためのＧＰＳアンテナ３８、及びＤＶＤチェンジャー４０が搭載されている。
次に、ユーザーの必要な情報を記憶したオリジナルＤＶＤの作成方法を、図４乃至図９を参照して説明する。
まず、図４は、車載のナビゲーション装置を用いて必要な情報を選択する方法を説明するための図面である。先ず、情報センター２には、ベース地図情報とサービス情報とを含む種々の地図情報が管理されている。ベース地図情報としては、図４に示すような、「中国四国版」、「広島市住宅地図」、「九州版」、「全国主要幹線道路（全国版）」等があり、それ以外に、サービス情報（観光案内／飲食店等）がある。これらの地図情報の内、ユーザーは、自己に必要な地図情報のみ、上述したように、車載の携帯電話２６で、情報センター２に要求し、この要求を受けて、情報センター２は、この車両に向けて、要求された地図情報を転送し、ナビゲーション装置２４は、携帯電話２６により、これらの要求地図情報を受信して、ＤＶＤ１０にロードするのである。
【００１８】
また、自宅のパソコン１でオリジナルＤＶＤを作成する場合も基本的には同様である。ただし、このように、通信手段を介して、大量の情報を転送する場合、自宅のパソコン１を使用すれば、車載のナビゲーション装置を使った場合と比較して、データ転送中に中断されることがなくさらに、光ケーブルのような高速通信回線や高速モデムを使用しているため高速通信が可能である。このため、ベース地図情報のようなイメージ情報を含む大量の地図情報を入手する場合は、データ転送中の中断を防止し、さらに、通信費用を安価にするために、自宅のパソコン１で行うことが望ましい。
一方、交通情報（渋滞、道路規制、駐車場満空情報）のようなリアルタイム情報を記憶させたい場合には、外出先で、車載のナビーゲーション装置１２により行うことが一般的である。
【００１９】
より具体的に説明すれば、図５に示すように、ステップＳ１で、先ず、ベース地図を選択する。具体的に言えば、例えば、広島市内にユーザーが住む場合には、「中国四国版」のベース地図情報及び「広島市住宅地図」のベース地図情報の内でユーザーが必要と考える地図データのみをベース地図として選択する（図４参照）。次に、ステップＳ２で、ユーザーが必要と判断した追加地図を選択する。この場合、例えば、「九州版」及び「全国主要幹線道路（全国版）」の内でドライバーが必要と考える地図データのみを追加地図として選択する。次に、ステップＳ３で、交通情報を含む種々のサービス情報の内からドライバーが必要と考えるデータベース、例えば、「観光案内／飲食店」の一部を選択する。このとき、自宅のパソコン１であれば、図６に示すように、ディスプレイ画面上に、ＤＶＤ１０の残りの容量が、表示される。このため、パソコン操作者は、更に多くのデータを記憶可能か否かを判断できる。よって、他のデータを更に記憶したい場合には、ステップＳ１に戻り、同様な操作を行う。一方、残りの容量により、追加記憶が不可の場合や必要な情報の記憶が完了したと判断した場合には、次のステップＳ５に進み、これらのステップＳ１，Ｓ２，Ｓ３で選択した、「ベース地図」、「追加地図」及び「サービス情報」のデータを記憶して、オリジナルＤＶＤ１０の作成を完了する。
【００２０】
次に、図７により、このようにして地図情報として記憶されるベース地図情報、交通情報、各種のサービス情報の内容を具体的に説明する。
これらの地図情報は、ナビゲーション装置に利用可能なように、所定のフォーマットで入力され、データベース化されている。これらの情報には、その場所を示す「エリア」が必ず含まれ、さらに、サービス情報のように正確な位置が必要な情報については、その場所を示す「座標」が含まれている。ここで、この「座標」は、経度（東経○度○分○秒）及び緯度（北緯○度○分○秒）で表されている。このように、「エリア」及び「座標」が、データベースに含まれているため、サービス情報等をベース地図上に重ねて表示することにおり、正確にその位置を表示することができるようになっている。
【００２１】
これらのデータベースは、上述したように、情報センター２から通信手段を経由して入手可能である。情報センター２は、情報プロバイダーとして機能しこれらのデータベースを単に管理するのみであり、データのデータの更新は、各データ提供者が必要に応じて行うことになっている。
図７により、これらのデータベースの内、代表的なもののみ説明する。Ａは、「ベース地図情報」であり、これには、「縮尺」と「エリア」が含まれ、「縮尺」は縮尺の異なる複数のベース地図情報を表し、「エリア」はこれらのベース地図情報のエリアを表している。Ｂは、「交通情報」であり、「エリア」、「交通規制」及び「渋滞情報」を含んでいる。
さらに、これらの「ベース地図情報」及び「交通情報」以外は、全てサービス情報であり、Ｃで表される「宿泊施設」、Ｄで表される「ショッピング」、Ｅで表される「飲食店」等に関する情報が含まれる。
【００２２】
具体的に説明する。Ｃで表される「宿泊施設」には、「エリア」、「分類」、「名称」、「所在地」、「連絡先」、「宿泊料金」、「収容人数」、「施設」、「駐車場（有無・収容台数）」、「紹介記事」、「イメージ画像」及び「座標」が含まれる。また、Ｄで表される「ショッピング」には、「エリア」、「分類」、「店名」、「取扱商品」、「所在地」、「連絡先」、「営業時間・定休日」、「駐車場（有無・収容台数）」、「紹介記事」、「イメージ画像」及び「座標」が含まれる。さらに、Ｅで表される「飲食店」には、「エリア」、「分類」、「店名」、「所在地」、「連絡先」、「営業時間・定休日」、「価格帯」、「収容人数」、「駐車場（有無・収容台数）」、「メニュー」、「紹介記事」、「イメージ画像」及び「座標」が含まれる。
【００２３】
これらのサービス情報は、さらに、「金融機関」、「ＧＳ（ガソリンスタンド）」、「駐車場」、「医療機関」、「コンビニ（コンビニエンス・ストア）」、「公共機関」（「市役所」、「警察署」及び「消防所」等が含まれる）、「スポーツ施設」（「スキー」、「スケート」、「体育館・プール」、「ゴルフ」、「ボーリング」、「テニスコート」等が含まれる）、「アミューズメント」（「遊園地」、「映画館」、「公園」及び「動物園／植物園・水族館」等が含まれる）、「交通機関」（「ＪＲ・私鉄」、「路線バス」、「飛行機」、「高速道路」及び「船舶」等が含まれる）、「住宅」、「文化施設」（「美術館」、「博物館」及び「図書館」等が含まれる）、「観光案内」（「温泉」、「クアハウス」、及び「観光スポット」が含まれる）等の各種の情報を含む。ここで、「住宅」情報は、個人の住宅や会社の事務所等の位置を示すための情報である。
【００２４】
図８は、図７にてＥで表された「飲食店」のデータベースに含まれる各種の情報の具体的内容を示した図である。この図８に示すように、「エリア」、「分類」、「店名」、「所在地」・・・・・、及び「座標」の具体的内容が、所定のフォーマットにより入力されてデータベース化されており、「座標」が、経度及び緯度で表されている。
図９は、これらの各種情報を必要に応じて選択してオリジナルＤＶＤ１０を作成する際の、ディスプレイ上の表示内容及び操作方法を示した図である。この作業は、自宅のパソコン１及び車載のナビゲーション装置１２の両者において可能である。自宅のパソコン１を用いた場合には、ディスプレイ上の「ＯＫ」等の指示は、マウスを用いて行い、車載のナビゲーション装置１２を用いた場合には、ディスプレイ上のタッチパネルを押すことにより行う。
【００２５】
以下、図９により、具体的に説明する。Ｔ１は、最初にディスプレイ上に表示される「メインメニュー」であり、情報選択のために使用される。作成者は、先ず、「地図」、「サービス情報」及び「交通情報」の中から必要なものをマウスにより指定し、次に、「ＯＫ」を指定する。このＴ１の「メインメニュー」では、通常、作成者は、先ず「地図」を指定する。ここで、この「地図」は、図７の「ベース地図情報」に対応している。なお、「CANCEL」を指定するとその前の画面に戻るようになっている。
Ｔ１の「メインメニュー」で「地図」を指定し、次に「ＯＫ」を指定した場合、画面は次画面であるＴ２に移る。次に、作成者は、Ｔ２の画面においてエリア選択を行う。５０は、改ページの表示であり、前後方向のページを選択できる。ここで、例えば、「九州」を指定し、次に「ＯＫ」と指定すると、画面は、「次画面」であるＴ３に移る。作業者は、このＴ３の画面において記憶するかしないかを選択を行う。「記憶する」及び「ＯＫ」を指定した場合、「九州」に関する地図情報のロードが開始され、ＤＶＤ１０に記憶され、この記憶がその後も保持される。一方、「記憶しない」及び「ＯＫ」を指定した場合、「九州」に関する地図情報のロードが開始され一時的に記憶されるが、所定時間経過後自動的に消去されることになっている。作成者は、必要に応じて、「CANCEL」を指定することにより、Ｔ１の「メインメニュー」に戻ることができる。Ｔ２の画面において、「詳細」を指定した場合、「九州の詳細メニュー」であるＴ４の画面に移る。このＴ４の画面において、「福岡県」及び「詳細」を指定した場合、「福岡県の詳細メニュー」であるＴ５の画面に移る。Ｔ５の画面において、「福岡市博多区」及び「ＯＫ」を指定すると、画面は、「次画面」であるＴ３に移り、上述したように、「福岡市博多区」に関する地図情報が記憶される。このようにして、先ず、ベース地図情報が記憶される。
【００２６】
次に、作成者が、Ｔ１の「メインメニュー」において、「交通情報」と「ＯＫ」を指定した場合、画面は、通常は、Ｔ２及びＴ４の画面を経てＴ５に移動するように操作される。このＴ５の画面において、作成者は、「交通情報」が知りたいエリアを選択し「ＯＫ」を指定する。この後、画面は、「次画面」であるＴ３に移り、必要に応じて、このＴ３の画面において記憶するかしないかの選択を行う。この「交通情報」の指定は、「交通情報」がリアルタイム情報であるため、車両に搭載されたナビゲーション装置１２により行われるのが普通である。
次に、Ｔ１の「メインメニュー」に戻り、「サービス情報」及び「ＯＫ」を指定すると、画面は、Ｔ６の「サービス情報設定詳細メニュー」に移る。ここで、作成者は、幾つかの複数のサービス情報を入手したい場合には、操作の手間を簡単にするため、「マクロ設定」を指定する。この場合、画面は、次のＴ７の「マクロ設定メニュー」に移る。このＴ７の「マクロ設定メニュー」において、作成者は、「旅行」、「営業」及び「アウドドア」（次ページ以降で他の情報も表示される）等の何れかを指定し且つ「ＯＫ」を指定する。ここで、「旅行」には、図７に示す「宿泊施設」及び「観光案内」等が含まれ、「営業」には、図７に示す「住宅情報」等が含まれ、更に、「アウドドア」には、図７に示す「スポーツ施設」等が含まれるように、予め設定されている。次に、画面は、例えば、Ｔ２及びＴ４を経てＴ５に移動し、必要なエリア選択が行われる。この後、画面は、Ｔ３に移り、選択されたエリアがナビゲーション装置本体１４内で記憶される。このようにして、「マクロ設定メニュー」において、指定された特定のグループのサービス情報のエリアが予め選択される。
【００２７】
次に、画面は、Ｔ６の「サービス情報設定詳細メニュー」に戻る。ここで、作成者は、「個別設定」を指定し、画面は、Ｔ８の「サービス情報選択メニュー」に移る。ここで、既にＴ６において「マクロ設定」が選択され、特定のグループのサービス情報のエリアが記憶されている場合には、作成者は、Ｔ８の「サービス情報選択メニュー」において、例えば「飲食店」及び「詳細」を指定することが可能であるが、そのようなサービス情報のエリアが記憶されていない場合には、「飲食店」及び「詳細」を指定する前に、エリアを記憶させる必要がある。このため、作成者は、特定のサービス、例えば「飲食店」及び「ＯＫ」を指定することにより、画面をＴ２及びＴ４経由でＴ５まで移動させ、必要なエリアを記憶しなければならない。このようにして、先ず特定のグループのサービス情報のエリア又は特定のサービス情報のエリアを選択してナビゲーション装置本体１４内に予め記憶させる。
【００２８】
この後、作業者は、Ｔ８の「サービス情報選択メニュー」において、例えば「飲食店」及び「詳細」を指定する。この場合、画面は、Ｔ９の「飲食店の詳細メニュー」に移る。このＴ９の「飲食店の詳細メニュー」で、例えば、「和食」及び「詳細」を指定した場合、画面は、Ｔ１０の「和食の詳細メニュー」に移る。このＴ１０の「和食のの詳細メニュー」で、「うどん・そば」、「記憶」及び「ＯＫ」を指定した場合には、上記の選択されたエリア内の「うどん・そば」に関連する飲食店のサービス情報がロード対象情報であると決定される。
この後、画面は、前の画面であるＴ９の「飲食店の詳細メニュー」に戻る。このＴ９の「飲食店の詳細メニュー」で、例えば、「洋食」、「記憶」及び「ＯＫ」を指定した場合、上記選択されたエリア内の「洋食」に関連する飲食店のサービス情報がロード対象情報であると決定される。なお、Ｔ９において、「全部」、「記憶」及び「ＯＫ」が指定されると、飲食店の全部のジャンルの情報がロード対象情報であると決定される。
【００２９】
この後、次画面のＴ１１に移る。このＴ１１は、上記ロード対象情報を「駐車場」に関連するサービス情報と関連付けてさらに選択するためのものである。Ｔ１１で、作成者が、「あるところだけ選択」、「記憶」及び「ＯＫ」を指定すると、既にロード対象情報であると決定された情報（ここでは、Ｔ１０における「うどん・そば」に関連する飲食店のサービス情報、及びＴ９における「洋食」に関連する飲食店のサービス情報）の内、駐車上のある飲食店のみがロード対象情報として選択される。
この後、次画面Ｔ１２に移る。このＴ１２の画面の場合もＴ１１の画面の場合と同様であり、例えば、営業時間「17:00 〜23:00 」、「記憶」及び「ＯＫ」を指定すると、Ｔ１１でロード対象情報として選択された駐車上のある飲食店の内、「17:00 〜23:00 」に営業している飲食店のみがロード対象情報として更に選択される。
【００３０】
この後、画面は、Ｔ８の「サービス情報選択メニュー」に戻る。作成者は、必要に応じて、他のサービスである「金融機関」、「コンビニ」、「ＧＳ（ガソリンスタンド）」等において、上述した「飲食店」の場合と同様な操作を繰り返すことにより、ロード対象情報を選択することができる。
このようにして、ロード対象情報を選択した後、作成者は、Ｔ８の「サービス情報選択メニュー」上の「ロード開始」を指定する。この「ロード開始」を指定することにより、これ以前に選択されたロード対象情報のロードが開始される。即ち、情報センター２から転送されるこれらのロード対象情報（要求地図情報）が携帯電話２６等により受信され、これらの情報がＤＶＤ１０に記憶される。
また、Ｔ９，Ｔ１０，Ｔ１１，Ｔ１２の画面上にも、「ロード開始」が設けられている。これらの画面において、「ロード開始」を指定した場合には、これ以前に選択されたロード開始情報のロードが開始される。
【００３１】
さらに、Ｔ８，Ｔ９，Ｔ１０，Ｔ１１，Ｔ１２の各画面において、「記憶」及び「ＯＫ」を指定した場合には、この画面で選択された情報が記憶され、その後もその記憶が保持されるようになっている。一方、「記憶」を指定せず「ＯＫ」のみを選択した場合には、その画面で選択された情報は一旦記憶されるが、所定時間経過後に自動的に消去されるようになっている。
このようにして、ユーザーに必要な情報を適当に選択して、記憶させ、オリジナルＤＶＤ１０の製作が完了する。
次に図１０により、ＤＶＤ１０の記憶領域及び記憶内容を説明する。このＤＶＤ１０は、以下の記憶領域を有している。即ち、システムエリア(Read Only) ６０、メモリーエリア(Read & Write)６２、マーク＆コードエリア(Read Only) ６４、画像映像記録エリア(Read & Write)６８、プライベードマーク＆コードエリア(Read & Write)７０、ベース地図エリア(Read Only) ７２、オリジナル地図エリア(Read & Write)７４、プライベートデータ格納エリア(Read & Write)７６である。
ここで、システムエリア６０は、オリジナル地図を作成するための基本システム用プログラムが記憶される領域であり、原則として書込不可の領域となっている。メモリーエリア６２は、作業領域として使用される読み出し書き込み可能な通常のメモリーエリアである。マーク＆コードエリア６４は、後述する種々の複数のマーク（ランドマーク、サービス情報、地図パーツ、住所等を含む概念として使用する）とこれらのマークと対応するように設定された複数の通信コードとを記憶する領域である。これらのマークとコードは、予め記憶され、原則として書込不可の領域となっている。画像映像記録エリア６８は、ＣＣＤカメラ又はディジタルカメラ等で撮影した画像映像を記憶するための領域であり、読み出し書き込み可能である。プライベードマーク＆コードエリア７０は、記憶されているマークを個人の好きなものに変更した場合にその変更したプライベートマークとそれに対応する通信コードをを記憶する領域であり、ユーザー自身により書き込み可能である。ベース地図エリア７２は、ベース地図情報を記憶するエリアであり、原則として書込不可である。オリジナル地図エリア７４は、ユーザーの必要性に応じて、ユーザー自身（又は代行業者等）が作成した種々の情報を含むオジリナル地図情報を記憶するために領域であり、読み出し書き込み可能である。プライベートデータ格納エリア７６は、シートポジション、住所、その他の個人情報を記憶するための領域であり、読み出し書き込み可能である。
【００３２】
次に、図１１乃至図１５により、ＤＶＤ１０に予め記憶されるマーク＆コードエリア６４の内容を詳細に説明する。
ここで、記憶されるマークの第１の例は、図１１に示すような飲食店やガソリンスタンド（ＧＳ）などのランドマーク８４，８６，８８，９０，９２である。これらのランドマークは、表示用イメージ情報の一種である。図１１に示すように、オジリナル地図を作成する場合、ユーザーは、車両の外部の情報センター２のサービス情報（図８参照）のデータベース８０から、車載の携帯電話２６を用いて、車両６側に必要な情報を転送するように要求する。しかしながら、これらのランドマークのようなイメージ情報が転送されると、テキスト情報に比較して転送量が多くなり、その分、転送時間が長くなり、電話使用料金やデータ使用料などの通信費用が増え好ましくない。また、転送時間が長くなると、車載の携帯電話２６によりデータを受信するので、電波が途切れて通信中断する場合があり、この場合、やり直しが必要となり、この点からも好ましくない。
【００３３】
よって、この例では、図１１に示すように、特定のランドマークをデータベース８０内で先ず特定の通信コードによりコード化し、この通信コードを含むデータ８２を車両側へ転送する。車両側では、この通信コードを含むデータ８２を車載の携帯電話２６で受信し、このコード化された情報に含まれ通信コードと対応したランドマークを検索する。上記のマーク＆コードエリア６４は、このように、コード化された情報とそれに対応する通信コードとを記憶し且つ通信コードと対応する情報を検索するためのする領域である。この領域により、通信コードに対応したランドマークが検索され、ナビゲーション装置１２の画面に、ベース地図上にこれらのランドマークが重ねて表示される。
具体的に説明する。図１１に示すように、先ず、情報センター２のデータベース８０内で、ラントマークと通信コードを対応させて設定する。例えば、喫茶店のランドマーク８４が、通信コード「０００１」に対応し、飲食店のランドマーク８６が通信コード「００１０」に対応し、ガソリンスタンド（ＧＳ）８８が通信コード「００１１」に対応し、飛行場９０のランドマークが通信コード「０１００」に対応し、病院のランドマーク９２が通信コード「０１０１」に対応する等である。
【００３４】
情報センター２から車両側へ転送されるデータ８２は、そのランドマークを位置を示す座標値８２ａ（緯度と経度で表される）、上記の通信コード及び関連するテキストデータ等を含む。車載のナビゲーション装置１２では、この転送されたデータ８２に含まれる通信コードに対応したランドマークが検索される。この後、上述したように、ナビゲーション装置１２の画面には、これらのランドマーク８４，８６，８８，９０，９２が座標データにより特定される位置でベース地図上に重ねて表示される。
次に、記憶されるマークの第２の例を図１２及び図１３により説明する。この例は、飲食店等のサービス情報であり、このサービス情報は、サービス施設の情報を含み、これらのサービス施設の情報が、通信コードにより階層的にコード化されてデータフォーマットされている。
【００３５】
この例では、図１２に示すように、情報センター２から車両６側に転送されるデータ９４は、座標データ、通信コード及びテキストデータを含んでいる。ここで、この通信コードは、対応するサービス施設を階層的にコード化するためのものである。具体的には、符号９６により示された通信コードは、「飲食店」、「ガソリンスタンド」、「コンビニ」等のように施設を分野別に分けて設定されており、符号９８により示された通信コードは、「飲食店」を「洋食」、「中華」、「和食」等のように詳細に分類して設定されており、符号１００により示された通信コードは、「洋食」を「イタリヤ料理」、「フランス料理」等のように詳細に分類して設定されており、さらに、符号１０２により示された通信コードは、「営業時間」を分類して設定されている。
【００３６】
このように、サービス情報の一部であるサービス施設の情報は、情報センタ２のデータベース８０内で、対応する通信コードによりコード化され、この通信コードが他の座標データ及びテキストデータと共にデータ９４として車両側へ転送される。車載のナビゲーション装置１２では、この転送されたデータ９４の通信コードに対応したサービス施設が検索される。この後、上述したように、ナビゲーション装置１２のディスプレイ上に、図１３に示すような画像が表示される。
次に、記憶されるマークの第３の例を図１４及び図１５により説明する。この例は、簡易地図を表示するための地図パーツのイメージ情報である。この例では、図１１で示した第１例と同様に、簡易地図を表示するために必要な各種の地図パーツが通信コードにコード化されている。
【００３７】
即ち、図１４に示すように、情報センタ２のデータベース８０内で、橋１１０、Ｔ字路１１２、十字路１１４、道路１１６、山１１８等のように簡易地図を作成するために必要な地図パーツが、それぞれ通信コードと対応させて設定されている。これらの地図パーツ１１０，１１２，１１４，１１６，１１８に関するデータを車両側へ転送する場合も、上記の第１の例や第２の例と同様に、転送データは、座標データ、通信コード及びテキストデータを含んでいる。
これらの地図パーツ１１０，１１２，１１４，１１６，１１８に係わる情報は、情報センタ２のデータベース８０内で、対応する通信コードによりコード化され、これらの通信コード、座標データ及びテキストデータを含むデータが車両側へ転送される。車載のナビゲーション装置１２では、この転送されたデータの通信コードに対応した地図パーツが検索される。この後、ナビゲーション装置１２の画面には、図１５に示すような簡易地図が表示される。この簡易地図は、各地図パーツの情報が、座標値含むようにデータフォーマットされているため、位置に関しては、正確に地図作成を行うことができる。また、この簡易地図上には、第１の例で示したランドマークを重ねて表示している。この簡易地図は、例えば、ベース地図情報に１／５０００の尺度の地図がない場合等に有効である。
【００３８】
さらに、第４の例として、例えば、図１３に示されている住所即ち、「広島市」、「東区」または「広島市東区」等を、適当な通信コードによりコード化するようにしてもよい。
以上、説明したように、表示用イメージ情報等の種々の情報を通信コードにより予めコード化しておき、このコード化された情報を外部の情報センターから車両側に転送し、車両側でこの通信コードに対応した種々の情報を検索するようにしているため、転送時間が短くなる。このため、必要な情報を車両内で素早く簡易に入手できる。さらに、転送時間即ち通信時間が短くなることにより、通信の中断等を防止することができ、操作上も簡易となる。さらに、通信時間が短くなるので、電話使用料及びデータ使用料を低減することもできる。
【００３９】
また、このようなオジリナル地図を作成する場合、車載のナビゲーション装置１２により行うことにより、上記の効果を得ることができるが、これに限らず、自宅等のパソコンにより、同様な操作を行うことも可能である。この場合も、イメージ情報を含む種々の情報をコード化して転送しているので、その分、通信費用を低減させることができる。この場合、このオリジナル地図が記憶されたＤＶＤ１０を車両側に持ち運んで使用することになる。
【００４０】
【発明の効果】
以上説明したように、本発明によれば、イメージ情報を含む種々の情報を通信コードによりコード化して、情報センターから車両側（又は自宅等のパソコン）に転送するようにしているため、通信時間がその分短くなり、その結果、情報の入手を素早く簡易に行うことができる。また、通信の中断等を防止することができる。さらに、通信コストを低減させることもできる。
【図面の簡単な説明】
【図１】  本発明によりオリジナル地図を作成する際に関係する全体システムを示す全体構成図
【図２】  車載のナビゲーション装置の全体システムを示すブロック図
【図３】  車両に搭載されたナビゲーション装置を具体的に示す車両の平面図
【図４】  車載のナビゲーション装置を用いて必要な情報を選択する方法を説明するための図面
【図５】  オリジナルＤＶＤの作成方法を示すフローチャート
【図６】  ＤＶＤの残りの容量を表示するディスプレイ画面を示す図
【図７】  情報センターに管理されているデータベースを示す図
【図８】  図７のおける「飲食店」のデータベースに含まれる各種の情報の具体的内容を示した図
【図９】  各種情報を必要に応じて選択してオリジナルＤＶＤを作成する際のディスプレイ上の表示内容及び操作方法を示した図
【図１０】  ＤＶＤの記憶領域及び記憶内容を示す図
【図１１】  ランドマークが通信コードによりコード化されて転送され、この通信コードがデコードされることを説明するための図
【図１２】  サービス施設の情報が通信コードにより階層的にコード化されて転送されていることを説明するための図
【図１３】  ナビゲーション装置のディスプレイ上に表示されたサービス施設（イタリア料理）の画像を示す図
【図１４】  地図パーツの情報が通信コードによりコード化されていることを示す図
【図１５】  ナビゲーション装置のディスプレイ上に表示された簡易地図の画像を示す図
【符号の説明】
１  パソコン
２  情報センター
６  車両
１０  記憶媒体（ＤＶＤ）
１２  ナビゲーション装置
１４  ナビゲーション装置本体
１５  光ビーコン用通信器
１６  集中コントロールユニット
１８  マルチディスプレイ
２０  ヘッドアップディスプレイ
２２  音声対話スイッチ
２４  操作スイッチ
２６  携帯電話
６０  システムエリア
６４  マーク＆コードエリア
６８  画像映像記録エリア
７０  プライベートマーク＆コードエリア
７２  ベース地図エリア
７４  オリジナル地図エリア
８０  データベース
【図１】
0003915103.tif 000002
【図２】
0003915103.tif 000003
【図３】
0003915103.tif 000004
【図４】
0003915103.tif 000005
【図５】
0003915103.tif 000006
【図６】
0003915103.tif 000007
【図７】
0003915103.tif 000008
【図８】
0003915103.tif 000009
【図９】
0003915103.tif 000010
【図１０】
0003915103.tif 000011
【図１１】
0003915103.tif 000012
【図１２】
0003915103.tif 000013
【図１３】
0003915103.tif 000014
【図１４】
0003915103.tif 000015
【図１５】
0003915103.tif 000016